(57)【特許請求の範囲】
【請求項１】
印刷部から折部までの紙通しコースで使用するアジャストローラーとこれを移動する移動装置を設け、印刷物の最適な位置で断ち切りを行い得るよう、アジャストローラーを予め定めた位置に移動するべく移動装置を制御する輪転機のアジャストローラーのプリセット制御装置において、
印刷稼動で使用される印刷部、折部、総ページ数などの印刷稼動条件ごとに、少なくともその印刷稼動条件に対応する各印刷部ごとの印刷ページの割振り及び各印刷部から折部までの紙通しコースを指定する紙通しコース番号が組合わされ、この組合わせに個別の印刷パターン番号が付されて格納される第１記憶部と、
紙通しコース番号ごとに、少なくともその紙通しコース番号に対応するアジャストローラーを指定するアジャストローラー番号及び印刷物の断ち切りを適切な位置で行うためのそのアジャストローラーの位置を定めたアジャストローラーの設定値が組合わされて格納される第２記憶部と、
実施する印刷稼動条件を指定すべく印刷パターン番号を入力可能な入力部と、
入力部によって入力された印刷パターン番号に基づいて該印刷パターン番号に対応する各印刷部ごとの印刷ページの割振りと紙通しコース番号を前記第１記憶部から読み出すデータ読出し部と、
該データ読出し部によって読み出された紙通しコース番号に基づいて該紙通しコース番号に対応するアジャストローラー番号とアジャストローラーの設定値を前記第２記憶部から読み出す設定値読出し部と、
前記設定値読出し部によって読み出されたアジャストローラー番号とそのアジャストローラーの設定値に基づいて、アジャストローラーを移動させるように前記移動装置に作動信号を出力する作動信号出力部と、
を備え、前記第１記憶部に格納されているある印刷パターン番号に利用されたアジャストローラー番号及びその設定値をそれらに対応する前記第２記憶部に格納されている紙通しコース番号を介して前記第１記憶部に記憶されている他の印刷パターン番号に利用することができるよう構成されていることを特徴とするアジャストローラーのプリセット制御装置。
【請求項２】
前記データ読出し部によって第１記憶部から読み出された印刷ページの割振り及び紙通しコース番号を表示する表示部をさらに備えていることを特徴とする請求項１記載のアジャストローラーのプリセット制御装置。
【発明の詳細な説明】
【０００１】
【発明の属する技術分野】
本発明は、印刷稼動条件の情報に従って紙通しコースを決定するとともに、この紙通しコースにおけるアジャストローラーを予め定めた位置に移動すべく、アジャストローラーの移動装置を制御するアジャストローラーのプリセット制御装置に関する。
【０００２】
【従来の技術】
従来の輪転機のプリセット装置の制御に関しては、例えば特公平７−１７０５４号公報に開示されている。特公平７−１７０５４号公報に開示されているプリセット装置では、印刷稼動条件ごとに１つの印刷パターン番号（紙通しパターン番号）を設け、この印刷パターン番号ごとに複数の給紙部から折部までの複数の紙通しコースとその複数の紙通しコースの全てのアジャストローラー位置の設定値が組み合わされて記憶装置に格納されており、印刷パターン番号の入力によってこの印刷パターン番号における複数の紙通しコースの全てのアジャストローラーの位置の設定値が読み出され、この読み出された設定値に基づいてアジャストローラーを移動させるよう制御されている。
【０００３】
【発明が解決しようとする課題】
しかしながら、従来の輪転機のプリセット装置では、印刷稼動条件ごとに、つまり印刷パターン番号ごとに使用する紙通しコースとアジャストローラー位置の設定値が記憶装置に格納されている。したがって、複数の印刷稼動条件において、あるアジャストローラーの印刷稼動時の実際の紙通しコースとアジャストローラー位置の設定値が同じであっても、印刷稼動条件ごとに印刷パターン番号が異なるので、全く異なるものとして処理される。
【０００４】
そのため、例えば、紙通しコースとアジャストローラー位置の設定値が同一であるが、印刷のページ数が異なる二つの印刷パターン番号において、いずれか一方の印刷稼動でアジャストローラー位置の設定値の更新、補正を行った場合、その更新、補正が他方の印刷稼動の際のアジャストローラー位置の設定値に反映されない。
【０００５】
よって、印刷パターンごとに、アジャストローラー位置の設定値の更新、補正をやり直さなければならず、そのため設定値の更新、補正を行わずに印刷を行って、断ち切り位置の適切でない不良印刷物を発生させてしまう場合がある。
【０００６】
そこで、本発明は、一の印刷パターン番号についてアジャストローラーの位置を定めた設定値の更新、補正を行った場合に、この更新、補正されたアジャストローラーの設定値を他の印刷パターン番号による印刷稼動に反映させてプリセット制御できるプリセット制御装置を提供することを目的とする。
【０００７】
【課題を解決するための手段】
以上の目的を達成するため、本発明は、印刷部から折部までの紙通しコースで使用するアジャストローラーとこれを移動する移動装置を設け、印刷物の最適な位置で断ち切りを行い得るよう、アジャストローラーを予め定めた位置に移動するべく移動装置を制御する輪転機のアジャストローラーのプリセット制御装置において、印刷稼動で使用される印刷部、折部、総ページ数などの印刷稼動条件ごとに、少なくともその印刷稼動条件に対応する各印刷部ごとの印刷ページの割振り及び各印刷部から折部までの紙通しコースを指定する紙通しコース番号が組合わされ、この組合わせに個別の印刷パターン番号が付されて格納される第１記憶部と、紙通しコース番号ごとに、少なくともその紙通しコース番号に対応するアジャストローラーを指定するアジャストローラー番号及び印刷物の断ち切りを適切な位置で行うためのそのアジャストローラーの位置を定めたアジャストローラーの設定値が組合わされて格納される第２記憶部と、実施する印刷稼動条件を指定すべく印刷パターン番号を入力可能な入力部と、入力部によって入力された印刷パターン番号に基づいて該印刷パターン番号に対応する各印刷部ごとの印刷ページの割振りと紙通しコース番号を前記第１記憶部から読み出すデータ読出し部と、該データ読出し部によって読み出された紙通しコース番号に基づいて該紙通しコース番号に対応するアジャストローラー番号とアジャストローラーの設定値を前記第２記憶部から読み出す設定値読出し部と、前記設定値読出し部によって読み出されたアジャストローラー番号とそのアジャストローラーの設定値に基づいて、アジャストローラーを移動させるように前記移動装置に作動信号を出力する作動信号出力部と、を備え、前記第１記憶部に格納されているある印刷パターン番号に利用されたアジャストローラー番号及びその設定値をそれらに対応する前記第２記憶部に格納されている紙通しコース番号を介して前記第１記憶部に記憶されている他の印刷パターン番号に利用することができるよう構成されていることを特徴とする。
【０００８】
以上のように、本発明に係るアジャストローラーのプリセット制御装置によれば、アジャストローラー番号とそのアジャストローラーの設定値が印刷パターン番号と直接関連付けされて記憶部に格納されておらず、紙通しコース番号を介して間接的に印刷パターン番号に関連付けされているので、ある印刷パターン番号に利用されたアジャストロール番号及びその設定値をそれらに対応する紙通しコース番号を介して他の印刷パターン番号に利用することができる。よって、ある印刷パターン番号による印刷稼動の際に、第２記憶部に格納されている紙通しコース番号に係るアジャストローラーの設定値を更新、補正した場合に、他の印刷パターン番号が、その更新、補正されたアジャストローラーの設定値に対応する紙通しコース番号を利用する場合、その更新、補正されたアジャストローラーの設定値を利用することができ、作業者は、印刷パターン番号が異なる印刷稼動の度に最新の設定値に更新、補正する必要がないとともに、設定値の誤設定による不良印刷物の発生を防止することができ、さらに作業者の負担を軽減することができる。
【０００９】
本発明に係るアジャストローラーのプリセット制御装置においては、前記データ読出し部によって第１記憶部から読み出された印刷ページの割振り及び紙通しコース番号を表示する表示部をさらに備えていることが好ましい。
【００１０】
また、本発明に係るアジャストローラーのプリセット制御装置において、前記第１記憶部と第２記憶部は、ハード的に一体のものであっても良く、例えば１つのハードディスク内に二つのフォルダを設けて、それぞれを第１記憶部と第２記憶部としても良い。
【００１１】
【発明の実施の形態】
次に、本発明に係る輪転機のアジャストローラーのプリセット制御装置の実施の形態について図面に基づいて説明する。図１は、本発明の実施の形態における輪転機のアジャストローラーのプリセット制御装置の構成を示すブロック図であり、図２は、図１の第１記憶部及び第２記憶部のメモリーテーブルに格納されたデータの構成の観念図であり、図３は、図１の表示部で表示される画面の概念図であり、図４は、アジャストローラーのプリセット制御装置と移動装置の関係を示すブロック図である。
【００１２】
本実施の形態における輪転機のアジャストローラーのプリセット制御装置Ｐは、図１に示すように入力部Ａと、第１記憶部Ｂと、第２記憶部Ｃと、データ読出し部Ｄと、表示部Ｅと、設定値読出し部Ｆと、作動信号出力部Ｇと、を備えている。
【００１３】
入力部Ａは、キーボードなどの入力機器から構成されており、作業者は、この入力部Ａによって特定の印刷稼動条件に対応する印刷パターン番号１（図３参照）などを入力することができる。
【００１４】
第１記憶部Ｂは、適宜の記憶容量を有するメモリーテーブル４を備え、図２に示すように印刷パターン番号１ごとに、各印刷部の印刷ページの割振り２と各印刷部から折部までの紙通しコースを指定する紙通しコース番号３に関するデータがメモリーテーブル４に格納されるよう構成されている。なお、各印刷部の印刷ページの割振り２は、例えば新聞印刷の場合、各印刷部の８つの印刷領域に印刷ページを割り振って格納している。
【００１５】
第２記憶部Ｃは、適宜の記憶容量を有するメモリーテーブル５を備え、例えば表１及び図２に示すような紙通しコース番号３ごとに、この紙通しコースで使用するアジャストローラーを指定するアジャストローラー番号と、印刷物の断ち切りを適切な位置で行うためにそのアジャストローラーの位置を定めた設定値との組合せがメモリーテーブル５に格納されるよう構成されている
【００１６】
【表１】
0003548549.tif 000002
データ読出し部Ｄは、入力部Ａで入力された印刷パターン番号１を受けて、この印刷パターン番号１に対応する各印刷部の印刷ページの割振り２と紙通しコース番号３のデータを第１記憶部Ｂのメモリーテーブル４から読み出し、表示部Ｅ及び設定値読出し部Ｆに読み出しデータを送信するよう構成されている。
【００１７】
表示部Ｅは、図３に示すように画面Ｅａを備えており、データ読出し部Ｄから受信した印刷パターン番号１、印刷ページの割振り２及び紙通しコース番号３を画面Ｅａに表示するよう構成されている。
【００１８】
設定値読出し部Ｆは、データ読出し部Ｄから紙通しコース番号３を受信すると、この紙通しコース番号３に対応するアジャストローラー番号及びアジャストローラーの位置を定めた設定値を第２記憶部Ｃのメモリーテーブル５から読み出して、表２に示すようにアジャストローラー番号と、その設定値に並び替え編集した「アジャストローラー編集結果」を作成し、その「アジャストローラー編集結果」に関するデータを作動信号出力部Ｇに送信するよう構成されている。
【００１９】
【表２】
0003548549.tif 000003
表２に示すアジャストローラーＳの設定値は、各アジャストローラーの位置を予め定めた基準位置（例えば零点位置）からの距離を示す値であり、アジャストローラー番号１の１８３ｍｍ、番号２の１５０ｍｍ、番号３の２３０ｍｍ、番号４の３８７ｍｍ、番号５の２６５ｍｍ、番号６の２１９ｍｍ、番号７の１５６ｍｍ、番号８の２６７、番号９の２８９ｍｍ及び番号１０の２７０ｍｍは、それぞれのアジャストローラーが基準位置から設定値の数値だけ離れた距離に位置すべきことを示している。
【００２０】
作動信号出力部Ｇは、設定値読出し部Ｆで読み出されて編集された設定値を受信し、アジャストローラー番号及びその設定値に基づいて、アジャストローラーＳを設定値によって示される所定の位置に移動させる作動信号を、図４に示すアジャストローラーの移動装置Ｑを構成する調整モーター１５に出力するよう構成されている。
【００２１】
例えば、調整モーター１５へアジャストローラーＳを１８５ｍｍの設定値に移動するよう制御信号が出力されると、調整モーター１５は、アジャストローラーＳが基準位置から１８５ｍｍ離れた位置に移動するまで回転するよう構成されている。
【００２２】
調整モーター１５の回転は、回転軸１６によりベベルギヤー１７ａ、１７ｂを介して、ねじ軸１８に伝えられて、ねじ軸１８の回転によってねじ軸１８にねじ結合しているハウジング１９が移動されて、ハウジング１９に支持されているアジャストローラーＳが移動される。
【００２３】
また、回転軸１６の回転は、ギヤー２０を介してロータリーエンコーダーなどのパルス発生器２１に伝えられ、回転軸１６の回転に伴いパルスが発生されるととともに、このパルスがパルスカウンターよりなる位置検出装置２２で計数され、その計数値は、作動信号出力部Ｇにフィードバックされる。
【００２４】
なお、図４中２３は、アジャストローラーＳが基準位置である零点位置に達したのを検出する零点検出器であり、この零点検出器２３からの信号により上記位置検出器２２がリセットされるとともに、位置検出装置２２は、零点検出器２３よりアジャストローラーＳが離れる方向へ移動するとパルス発生器２１からのパルスを加算カウントするよう構成されている。
【００２５】
一方、作動信号出力部Ｇは、位置検出装置２２より入力されるフィードバック信号を演算処理し、その演算値と、設定値１８５ｍｍを比較し、計数値が設定値の１８５ｍｍになると調整モーター１５を停止させる。これによってアジャストローラーＳは、印刷パターン１の紙通しコースに対応したアジャストローラーＳの設置値が指定する位置に位置させることができる。
【００２６】
以上記載のアジャストローラーのプリセット制御装置Ｐの作動によりアジャストローラーＳの設定値で定められた位置にプリセットして印刷稼動した結果、印刷物の断ち切りが適切な位置で行われないときは、入力部Ａを操作して第２記憶部Ｃのメモリーテーブル５における当該アジャストローラーＳの設定値を適切な値に更新、補正することができる。
【００２７】
なお、第２記憶部Ｃのメモリーテーブル５には、アジャストローラー番号及びアジャストローラー設定値とともに、例えば給紙部でのペースタ損紙を折部において自動排出させるためのデータである給紙部から折部までの距離及び損紙排出部数などを組み合わせて格納しても良い。
【００２８】
次に、本実施の形態に係るアジャストローラーのプリセット制御装置において、新規な印刷パターン番号１を登録する場合について説明する。先ず、新規の印刷パターンについて、少なくとも印刷稼動で使用される印刷部、折部、総ページ数、カラー印刷ページ、折部の排出態様などの印刷稼動条件に基づいて新規の印刷パターン番号１を定め、この新規の印刷パターン番号１に対応させて、各印刷部ごとで印刷するページの割振り２と、各印刷部から折部に至る紙通しコースを各印刷部６の駆動側（ＤＳ）７及び操作側（ＯＳ）８を走行する半幅の印刷紙単位ごとに定める。この際、新規の紙通しコースがあるときは、これに新規の紙通しコース番号３を定める。そして、これらを前記新規の印刷パターン番号１のもとに関連付けて、入力部Ａによって入力し第１記憶部ｂに格納する。更に、前記新規の紙通しコースについて、新規に定めた紙通しコース番号３のもとにその紙通しコースのアジャストローラー番号とそのアジャストローラーの設定値を関連付けて、入力部Ａによって第２記憶部Ｃに入力し格納する。なお、同一の紙通しコースのアジャストローラー番号とそのアジャストローラーの設定値が既に第２記憶部Ｃに格納されている場合、新しい紙通しコース番号３を付して格納する必要はなく、その既に格納されている紙通しコース番号３を利用する。
【００２９】
次に、本実施の形態に係るアジャストローラーＳのプリセット制御装置の動作について説明する。先ず、入力部Ａによって印刷パターン番号１を入力すると、データ読出し部Ｄが入力された印刷パターン番号１に対応する各印刷部の印刷ページの割振り２と紙通しコース番号３のデータを第１記憶部Ｂのメモリーテーブル４から読出し、表示部Ｅ及び設定値読出し部Ｆにそのデータを印刷パターン番号１とともに送信する。
【００３０】
表示部Ｅは、データ読出し部Ｄから受信した印刷パターン番号１、印刷ページの割振り２及び紙通しコース番号３を図３に示す画面Ｅａに表示する。
【００３１】
設定値読出し部Ｆは、データ読出し部Ｄが送信した紙通しコース番号３を受信し、この紙通しコース番号３に対応するアジャストローラー番号及びアジャストローラーの位置を定めた設定値を第２記憶部Ｃのメモリーテーブル５から読み出して、表２に示すようにアジャストローラー番号と、その設定値に並び替え編集した「アジャストローラー編集結果」を作成し、その「アジャストローラー編集結果」に関するデータを作動信号出力部Ｇに送信する。
【００３２】
次いで、作動信号出力部Ｇは、受信したアジャストローラー番号及びその設定値に基づいて、アジャストローラーＳを設定値が示す位置に移動させる作動信号を調整モーター１５に送信し、アジャストローラーＳを設定値が示す位置に移動させる。
【００３３】
本実施の態様に係るアジャストローラーのプリセット制御装置においては、ある印刷パターン番号１において、アジャストローラーの設定値を更新し、補正して、その値を第２記憶部Ｃに格納させることによって、その更新、補正されたアジャストローラーの設定値に対応する紙通しコース番号と同一の紙通しコース番号を利用している他の印刷パターン番号にその更新、補正されたアジャストローラーの設定値を利用させることができる。
【００３４】
【発明の効果】
以上のように、本発明に係る輪転機のアジャストローラーのプリセット制御装置によれば、アジャストローラー番号とそのアジャストローラーの設定値が印刷パターン番号と直接関連付けされて記憶部に格納されておらず、紙通しコース番号を介して間接的に印刷パターン番号に関連付けされているので、ある印刷パターン番号に利用されたアジャストローラー番号及びその設定値をそれに対応する紙通しコース番号を介して他の印刷パターン番号に利用することができる。よって、一の印刷パターン番号についてアジャストローラーの設定値の更新、補正を行った場合に、この更新、補正されたアジャストローラーの設定値を他の印刷パターン番号による印刷稼動に反映させてプリセット制御できるプリセット制御装置を提供することができる。
【図面の簡単な説明】
【図１】本発明の実施の態様に係る輪転機のアジャストローラーのプリセット制御装置の構成を示すブロック図である。
【図２】本実施の態様に係るアジャストローラーのプリセット制御装置の第１記憶部及び第２記憶部のメモリーテーブルに格納されたデータの構成の観念図である。
【図３】本実施の態様に係るアジャストローラーのプリセット制御装置の表示部で表示される画面の概念図である。
【図４】本実施の態様にかかるアジャストローラーのプリセット制御装置と移動装置の関係を示すブロック図である。
【符号の説明】
Ａ      入力部
Ｂ      第１記憶部
Ｃ      第２記憶部
Ｄ      データ読出し部
Ｅ      表示部
Ｅａ  画面
Ｆ      設定値読出し部
Ｇ      作動信号出力部
Ｐ      プリセット制御装置
Ｑ      アジャストローラーの移動装置
Ｓ      アジャストローラー
１      印刷パターン番号
２      印刷ページの割振り
３      紙通しコース番号
４、５            メモリーテーブル
７      駆動側（ＤＳ）
８      操作側（ＯＳ）
１５  調整モーター
１６  回転軸
１７ａ、１７ｂ          ベベルギアー
１８  ねじ軸
１９  ハウジング
２０  ギアー
２１  パルス発生器
２２  位置検出装置
２３  零点検出器
【図１】
0003548549.tif 000004
【図２】
0003548549.tif 000005
【図３】
0003548549.tif 000006
【図４】
0003548549.tif 000007